(57)【要約】【課題】設備および機器に対する点検を効率よく実施するための情報を有する点検シナリオを作成し、作業者にこの点検シナリオを提示することで、点検時間を短縮させる点検支援装置、点検支援方法および点検支援プログラムを提供する。【解決手段】同じ種類の点検を実施する予定の設備または機器の識別情報、設備機器名称情報、点検内容情報、支援情報および関連設備機器情報を抽出する第１の抽出部と、点検を実施する予定の設備または機器に対応する階層情報および場所特定情報を抽出する第２の抽出部と、次に点検を実施する設備または機器の候補を特定する候補特定部と、点検を実施する予定の設備または機器に対応する識別情報、点検内容情報、支援情報および候補を、作業者の利用する端末の表示部に表示させるための点検シナリオ表示情報を生成する表示生成部と、を備える点検支援装置である。【選択図】図３
2015001851.tif 000002
【特許請求の範囲】
【請求項１】
設備または機器に対して実施する点検の種類を用いて、前記設備または前記機器を識別する識別情報と、前記設備または前記機器の名称を示す設備機器名称情報と、前記識別情報ごとに関連付けられる１つ以上の点検内容を示す点検内容情報と、前記設備または前記機器ごとの前記点検の種類を示す点検種類情報と、運用上関連がある前記設備または前記機器を示す関連設備機器情報と、前記点検内容情報に関連付けられる点検結果を入力する際に作業者を支援するための支援情報と、が関連付けられて記憶部に記憶される点検支援情報を参照して、同じ種類の前記点検を実施する予定の設備または機器の前記識別情報、前記設備機器名称情報、前記点検内容情報、前記支援情報および前記関連設備機器情報を抽出する第１の抽出部と、
抽出した前記点検を実施する予定の設備または機器に対応する前記識別情報を用いて、前記識別情報に関連付けられている前記設備または前記機器の階層を示す階層情報と、前記階層の上位側から前記識別情報を連結して生成される前記設備または前記機器の場所を表す場所特定情報と、が関連付けられて前記記憶部に記憶される階層構造情報を参照して、前記点検を実施する予定の設備または機器に対応する前記階層情報および前記場所特定情報を抽出する第２の抽出部と、
前記点検を実施する予定の設備または機器に対応する前記関連設備機器情報、前記階層情報および前記場所特定情報を用いて、前記記憶部に記憶されている次に点検を実施する設備または機器の候補を特定するための条件情報を参照し、次に点検を実施する設備または機器の候補を特定する候補特定部と、
前記点検を実施する予定の設備または機器に対応する前記識別情報、前記点検内容情報、前記支援情報および前記候補を、作業者の利用する端末の表示部に表示させるための点検シナリオ表示情報を生成する表示生成部と、
を備えることを特徴とする点検支援装置。
【請求項２】
コンピュータが、
端末から設備または機器に対して点検を実施する通知を取得すると、前記通知に含まれる前記点検の種類を用いて、前記設備または前記機器を識別する識別情報と、前記設備または前記機器の名称を示す設備機器名称情報と、前記識別情報ごとに関連付けられる１つ以上の点検内容を示す点検内容情報と、前記設備または前記機器ごとの前記点検の種類を示す点検種類情報と、運用上関連がある前記設備または前記機器を示す関連設備機器情報と、前記点検内容情報に関連付けられる点検結果を入力する際に作業者を支援するための支援情報と、が関連付けられて記憶部に記憶される点検支援情報を参照して、同じ種類の前記点検を実施する予定の設備または機器の前記識別情報、前記設備機器名称情報、前記点検内容情報、前記支援情報および前記関連設備機器情報を抽出し、
抽出した前記点検を実施する予定の設備または機器に対応する前記識別情報を用いて、前記識別情報に関連付けられている前記設備または前記機器の階層を示す階層情報と、前記階層の上位側から前記識別情報を連結して生成される前記設備または前記機器の場所を表す場所特定情報と、が関連付けられて前記記憶部に記憶される階層構造情報を参照して、前記点検を実施する予定の設備または機器に対応する前記階層情報および前記場所特定情報を抽出し、
前記点検を実施する予定の設備または機器に対応する前記関連設備機器情報、前記階層情報および前記場所特定情報を用いて、前記記憶部に記憶されている次に点検を実施する設備または機器の候補を特定するための条件情報を参照し、次に点検を実施する設備または機器の候補を特定し、
前記点検を実施する予定の設備または機器に対応する前記識別情報、前記点検内容情報、前記支援情報および前記候補を、作業者の利用する端末の表示部に表示させるための点検シナリオ表示情報を生成する、
処理を実行することを特徴とする点検支援方法。
【請求項３】
端末から設備または機器に対して点検を実施する通知を取得すると、前記通知に含まれる前記点検の種類を用いて、前記設備または前記機器を識別する識別情報と、前記設備または前記機器の名称を示す設備機器名称情報と、前記識別情報ごとに関連付けられる１つ以上の点検内容を示す点検内容情報と、前記設備または前記機器ごとの前記点検の種類を示す点検種類情報と、運用上関連がある前記設備または前記機器を示す関連設備機器情報と、前記点検内容情報に関連付けられる点検結果を入力する際に作業者を支援するための支援情報と、が関連付けられて記憶部に記憶される点検支援情報を参照して、同じ種類の前記点検を実施する予定の設備または機器の前記識別情報、前記設備機器名称情報、前記点検内容情報、前記支援情報および前記関連設備機器情報を抽出し、
抽出した前記点検を実施する予定の設備または機器に対応する前記識別情報を用いて、前記識別情報に関連付けられている前記設備または前記機器の階層を示す階層情報と、前記階層の上位側から前記識別情報を連結して生成される前記設備または前記機器の場所を表す場所特定情報と、が関連付けられて前記記憶部に記憶される階層構造情報を参照して、前記点検を実施する予定の設備または機器に対応する前記階層情報および前記場所特定情報を抽出し、
前記点検を実施する予定の設備または機器に対応する前記関連設備機器情報、前記階層情報および前記場所特定情報を用いて、前記記憶部に記憶されている次に点検を実施する設備または機器の候補を特定するための条件情報を参照し、次に点検を実施する設備または機器の候補を特定し、
前記点検を実施する予定の設備または機器に対応する前記識別情報、前記点検内容情報、前記支援情報および前記候補を、作業者の利用する端末の表示部に表示させるための点検シナリオ表示情報を生成する、
処理をコンピュータに実行させることを特徴とする点検支援プログラム。
【発明の詳細な説明】
【技術分野】
【０００１】
本発明は、設備および機器の点検を支援する点検支援装置、点検支援方法および点検支援プログラムに関する。
【背景技術】
【０００２】
従来は、管理者により作成された設備（機場、施設、棟屋、階、部屋など）および機器（装置、部品など）に関する点検帳票を用いて、点検帳票の点検項目に従って作業者が点検を行い、点検項目ごとに点検結果を記憶している。
【０００３】
しかしながら、従来の点検帳票は管理者により作成されているため、点検結果を取得して記憶することに重点がおかれているため、作業者に点検を効率よく実施させるものではない。
【０００４】
関連する技術として、設備点検の容易化をはかり、作業性の改善をはかった設備点検システムが開示されている。その設備点検システムによれば、機動性のある携帯端末を利用し、所定のルートに沿って携帯端末装置に各設備機器の点検項目が画面表示され、当該表示された点検項目に従い対話形式で順次点検入力を行なう。所定のルートは技術的な裏付けによって、あるいは、設備の動作条件によって、または、設備の工程、設備の配置によって決まる。また、点検の開始から入力までの所要時間が、あらかじめ定められた基準時間を越えた場合にその点検入力を無効にできる。更に、設備の点検開始前にあらかじめ休止設備機器を登録し、当該休止設備機器の点検項目の画面表示ならびに点検入力をスキップする。
【先行技術文献】
【特許文献】
【０００５】
【特許文献１】特開２００２−０４９４１７号公報
【発明の概要】
【発明が解決しようとする課題】
【０００６】
本発明は、設備および機器に対する点検を効率よく実施するための情報を有する点検シナリオを作成し、作業者にこの点検シナリオを提示することで、点検時間を短縮させる点検支援装置、点検支援方法および点検支援プログラムを提供することを目的とする。
【課題を解決するための手段】
【０００７】
本実施の態様のひとつである点検支援装置は、第１の抽出部、第２の抽出部、候補特定部、表示生成部を有する。
第１の抽出部は、設備または機器に対して実施する点検の種類を用いて、記憶部に記憶される点検支援情報を参照して、同じ種類の点検を実施する予定の設備または機器の識別情報、設備機器名称情報、点検内容情報、支援情報および関連設備機器情報を抽出する。
【０００８】
点検支援情報は、設備または機器を識別する識別情報と、設備または機器の名称を示す設備機器名称情報と、識別情報ごとに関連付けられる１つ以上の点検内容を示す点検内容情報と、設備または機器ごとの点検の種類を示す点検種類情報と、運用上関連がある設備または機器を示す関連設備機器情報と、点検内容情報に関連付けられる点検結果を入力する際に作業者を支援するための支援情報と、が関連付けられている。
【０００９】
第２の抽出部は、抽出した点検を実施する予定の設備または機器に対応する識別情報を用いて、記憶部に記憶される階層構造情報を参照して、点検を実施する予定の設備または機器に対応する階層情報および場所特定情報を抽出する。
【００１０】
階層構造情報は、識別情報に関連付けられている設備または機器の階層を示す階層情報と、階層の上位側から識別情報を連結して生成される設備または機器の場所を表す場所特定情報と、が関連付けられている。
【００１１】
候補特定部は、点検を実施する予定の設備または機器に対応する関連設備機器情報、階層情報および場所特定情報を用いて、記憶部に記憶されている次に点検を実施する設備または機器の候補を特定するための条件情報を参照し、次に点検を実施する設備または機器の候補を特定する。
【００１２】
表示生成部は、点検を実施する予定の設備または機器に対応する識別情報、点検内容情報、支援情報および候補を、作業者の利用する端末の表示部に表示させるための点検シナリオ表示情報を生成する。
【発明の効果】
【００１３】
実施の態様によれば、設備および機器に対する点検を効率よく実施するための情報を有する点検シナリオを作成し、作業者にこの点検シナリオを提示することで、点検時間を短縮させることができるという効果を奏する。
【図面の簡単な説明】
【００１４】
【図１】図１は、実施形態のシステムの一実施例を示す図である。
【図２】図２は、情報処理装置（点検支援装置）および端末のハードウェアの一実施例を示す図である。
【図３】図３は、情報処理装置（点検支援装置）の一実施例を示す図である。
【図４】図４は、点検支援情報のデータ構造の一実施例を示す図である。
【図５】図５は、支援情報により表示される選択画面の一実施例を示す図である。
【図６】図６は、支援情報により表示される入力画面の一実施例を示す図である。
【図７】図７は、階層を説明するための図である。
【図８】図８は、階層構造情報のデータ構造の一実施例を示す図である。
【図９】図９は、候補情報により表示される候補画面の一実施例を示す図である。
【図１０】図１０は、情報処理装置（点検支援装置）の動作の一実施例を示す図である。
【発明を実施するための形態】
【００１５】
以下図面に基づいて、実施形態について詳細を説明する。
システムについて説明する。
図１は、実施形態１のシステムの一実施例を示す図である。図１に示すシステムは、例えば、水道設備、下水道設備、環境設備それぞれを管理するシステムまたは水道設備、下水道設備、環境設備を総合管理するシステムなどが考えられる。
【００１６】
水道設備は、例えば、浄水場の濾過設備、濾過の過程で発生した汚泥の処理設備などの各種機械設備、ならびにプラントを運転するための受変電設備、計装設備、監視制御設備などの各種電気設備などである。下水道設備は、例えば、水処理用散気装置、汚泥脱水機、汚泥焼却炉、下水汚泥のガス化・燃料化システムに加え高速雨水処理システムなどの各種機械設備、ならびに、プラントを運転するための受変電設備、計装設備、監視制御設備などの各種電気設備などである。環境設備は、例えば、都市ゴミのリサイクル、資源化などの都市環境に不可欠なゴミ処理プラント、ガス化溶融炉やリサイクルプラザ、ゴミ炭化プラント、バイオマス発電システム、廃棄プラスチック破袋選別装置などである。
【００１７】
ただし、本システムは水道設備、下水道設備、環境設備を管理するシステムに限定されるものではなく、他の各種プラントを管理するシステムでもよい。
図１の情報処理装置１（点検支援装置）は、例えば、クラウドコンピューティングを提供する側のデータセンタに設けられている情報処理装置（１つ以上のサーバコンピュータから構成される装置）が考えられる。端末２ａ〜２ｎは、例えば、携帯情報端末（携帯電話機、Personal Handy-phone System（ＰＨＳ）、スマートフォン、タブレットパーソナルコンピュータなど）、据え置き型の情報端末などが考えられる。ネットワーク３は、例えば、有線または無線を用いた通信に利用される回線などが考えられる。
【００１８】
情報処理装置と端末について説明をする。
図２は、情報処理装置（点検支援装置）および端末のハードウェアの一実施例を示す図である。図２に示す情報処理装置１および端末２ａ〜２ｎのそれぞれのハードウェアは、制御部２０１、記憶部２０２、記録媒体読取装置２０３、入出力インタフェース２０４、通信部２０５などを備えている。また、各構成部はバス２０６によりそれぞれ接続されている。なお、本例では情報処理装置１について、１つのコンピュータのハードウェアについて説明をする。また、端末２ａ〜２ｎのうちのいずれか１つの端末（以降、端末２と呼ぶ）のハードウェアについて説明をする。
【００１９】
制御部２０１はCentral Processing Unit（ＣＰＵ）、マルチコアＣＰＵ、プログラマブルなデバイス（Field Programmable Gate Array（ＦＰＧＡ）、Programmable Logic Device（ＰＬＤ）など）を用いることが考えられる。
【００２０】
記憶部２０２は、例えばRead Only Memory（ＲＯＭ）、Random Access Memory（ＲＡＭ）などのメモリやハードディスクなどが考えられる。なお、記憶部２０２にはパラメータ値、変数値などのデータを記録してもよいし、実行時のワークエリアとして用いてもよい。なお、情報処理装置１の記憶部２０２は外部に設けたデータベースなどの記憶装置でもよい。
【００２１】
記録媒体読取装置２０３は、制御部２０１の制御に従って記録媒体２０７に対するデータのリード／ライトを制御する。そして、記録媒体２０７に記録媒体読取装置２０３の制御で書き込まれたデータを記録させたり、記録媒体２０７に記録されたデータを読み取らせたりする。また、着脱可能な記録媒体２０７は、コンピュータで読み取り可能なnon-transitory（非一時的）な記録媒体として、磁気記録装置、光ディスク、光磁気記録媒体、半導体メモリなどがある。磁気記録装置には、ハードディスク装置（ＨＤＤ）などがある。光ディスクには、Digital Versatile Disc（ＤＶＤ）、ＤＶＤ−ＲＡＭ、Compact Disc Read Only Memory（ＣＤ−ＲＯＭ）、ＣＤ−Ｒ(Recordable)／ＲＷ（ReWritable）などがある。光磁気記録媒体には、Magneto-Optical disk（ＭＯ）などがある。なお、記憶部２０２もnon-transitory（非一時的）な記録媒体に含まれる。
【００２２】
入出力インタフェース２０４には、入出力部２０８が接続され、入出力部２０８の入力装置から入力された情報を受信し、バス２０６を介して制御部２０１に送信する。また、制御部２０１から送信されたデータに従って入出力部２０８の出力装置（表示部）の画面に表示をする。
【００２３】
通信部２０５はネットワーク３に接続され、通信を行う。
情報処理装置（点検支援装置）の制御部の説明をする。
図３は、情報処理装置の制御部の一実施例を示す図である。情報処理装置１の制御部２０１は、第１の抽出部３０１、第２の抽出部３０２、候補特定部３０３、表示生成部３０４を有している。
【００２４】
第１の抽出部３０１は、端末２から送信された設備（機場、施設、棟屋、階、部屋など）および機器（装置、部品など）に対して実施する点検の種類を有する情報を取得する。その後、点検の種類を用いて、記憶部２０２に記憶される後述する点検支援情報を参照して、同じ種類の点検を実施する予定の設備または機器の識別情報、設備機器名称情報、点検内容情報、支援情報および関連設備機器情報を抽出する。
【００２５】
図４は、点検支援情報のデータ構造の一実施例を示す図である。点検支援情報４０１は、「識別情報」「設備機器名称情報」「点検内容情報」「支援情報」「点検種類情報」「関連設備機器情報」に記憶される情報を有している。
【００２６】
識別情報は設備または機器を識別する情報である。また、設備機器名称情報は設備または機器の名称を示す情報である。本例では、識別情報「１２３４」「１５」「０１」「０２」「４７」「４８」「４９」「５０」「５１」「５２」・・・それぞれに、設備機器名称情報「自治体」「機場１」「棟Ａ」「棟Ｂ」「部屋１」「部屋２」「部屋３」「ポンプＰ１」「ポンプＰ２」「ポンプＰ３」・・・それぞれが関連付けられて記憶されている。
【００２７】
点検内容情報は、識別情報ごとに関連付けられる１つ以上の点検内容を示す情報である。本例では、点検内容情報として設備機器名称情報「ポンプＰ１」「ポンプＰ２」「ポンプＰ３」それぞれに関連付けて設備または機器の状態を調べることを示す「点検」と、ポンプの吐出圧を調べることを示す「吐出圧」などが記憶されている。なお、図４の例では「点検」「吐出圧」だけが記載されているが限定されるものではなく、設備または機器に応じて決められている点検内容を記憶させる。
【００２８】
支援情報は、点検内容情報に関連付けられる点検結果を入力する際に作業者を支援するための情報である。本例では、点検内容情報「点検」「吐出圧」それぞれに支援情報「ｓｅｌｅｃｔ」「ｔｅｎ＿ｋｅｙ」が関連付けられて記憶されている。
【００２９】
支援情報「ｓｅｌｅｃｔ」は、端末２の表示部に異なる点検結果を表示させて、表示させた点検結果の中から該当する点検結果を作業者に選択させる情報である。例えば、図５に示す表示を端末２の表示部にさせることが考えられる。
【００３０】
図５は、支援情報により表示される選択画面の一実施例を示す図である。図５の選択画面５０１は、提示表示部５０２（点線内の「選択してください」）、内容表示部５０３（点線内の「運転中」「停止中」「報告済」「状況異常」「給油」）、選択表示部５０４（点線内の円形選択ボタン５個）、入力決定表示部５０５（「選択」ボタン）、取り消し表示部５０６（「キャンセル」ボタン）が表示される。なお、図５の点線は実際には表示されない。
【００３１】
提示表示部５０２には作業者に入力を促す表示がされる。本例では、提示表示部５０２に「選択してください」が表示されている。ただし、提示表示部５０２に表示する内容は「選択してください」に限定されるものではない。
【００３２】
内容表示部５０３には決められた点検の状態を示す項目が表示される。本例では、内容表示部５０３に、ポンプが運転中であることを示す「運転中」、ポンプが運転を停止していることを示す「停止中」、既にポンプに関する報告がされていることを示す「報告済」、ポンプの状態が異常であることを示す「状況異常」、ポンプへの給油が必要であることを示す「給油」が表示されている。ただし、提示表示部５０２に表示する内容は「運転中」「停止中」「報告済」「状況異常」「給油」に限定されるものではない。
【００３３】
選択表示部５０４には内容表示部５０３に表示された項目に関連付けられた円形選択ボタンなどが表示される。本例では、提示表示部５０２の５つの表示「運転中」「停止中」「報告済」「状況異常」「給油」が、５つの円形選択ボタンそれぞれに対応付けられている。なお、本例では「運転中」が選択されたので、選択表示部５０４の一番上の円形選択ボタンが黒色になっている。ただし、選択表示部５０４の表示は円形選択ボタンに限定されるものではなく、チェックボックスなどを用いてもよい。
【００３４】
入力決定表示部５０５は選択表示部５０４により選択された点検の状態を決定するための表示である。本例では、入力決定表示部５０５として「選択」ボタンが表示されている。
【００３５】
取り消し表示部５０６は選択された点検の状態を取り消すための表示である。本例では、取り消し表示部５０６として「キャンセル」ボタンが表示されている。
支援情報「ｔｅｎ＿ｋｅｙ」は、端末２の表示部から作業者にテンキーを用いて点検結果を入力させるための情報である。例えば、図６に示す表示を端末２の表示部に表示させることが考えられる。
【００３６】
図６は、支援情報により表示される入力画面の一実施例を示す図である。図６の入力画面６０１は、入力制限表示部６０２(点線内の「入力制限」「整数桁数：６桁」「少数桁数：４桁」）、正常範囲値表示部６０３（点線内の「閾値：０．３５Ｍｐａ−０．５Ｍｐａ」）、入力値表示部６０４、入力手段表示部６０５（点線内のテンキーなどの入力手段）、入力決定表示部６０６（「選択」ボタン）、取り消し表示部６０７（「キャンセル」ボタン）が表示される。なお、図６の点線は実際には表示されない。
【００３７】
入力制限表示部６０２には入力値表示部６０４で入力する入力値の制限を表示する。本例では、入力値の制限を作業者に提示する「入力制限」「整数桁数：６桁」「少数桁数：４桁」などの表示がされている。ただし、入力値の制限は限定されるものではなく、設備または機器に応じた入力値の制限を表示する。
【００３８】
正常範囲値表示部６０３には設備または機器が正常であることを示す範囲を表示する。本例では、ポンプの吐出圧を示す「閾値：０．３５Ｍｐａ−０．５Ｍｐａ」が表示されている。ただし、正常範囲値は限定されるものではなく、設備または機器に応じた正常範囲値を表示する。
【００３９】
入力値表示部６０４には設備または機器に対して実施した測定などの結果を、作業者に入力させるための表示である。例えば、入力手段表示部６０５に表示されたテンキーを用いて入力すると、入力した値が表示される。
【００４０】
入力手段表示部６０５はテンキーなどの入力手段を表示する。本例では、入力手段として、数値を入力するための表示「０」〜「９」、小数点を入力するための表示「・」、入力値表示部６０４の値をクリアするための表示「ＡＣ」、バックスペースを行う場合に用いるための表示「ＢＳ」、プラス／マイナスを入力するための表示「＋／−」が、表示されている。
【００４１】
入力決定表示部６０６は入力値表示部６０４に入力された入力値を決定するための表示である。本例では、入力決定表示部６０６として「選択」ボタンが表示されている。
取り消し表示部６０７は入力された入力値を取り消すための表示である。本例では、取り消し表示部６０７として「キャンセル」ボタンが表示されている。
【００４２】
このように、作業者が入力をする際に支援情報を用いて入力表示を端末２の表示部にすることで、作業者は点検結果などの入力を簡単にできる。
点検種類情報は、設備または機器ごとの点検の種類を示す情報である。本例では、点検種類情報として「日常／ジャーテスト／水質」などが記憶されている。例えば、端末２から送信される点検の種類を有する情報を取得した際に、点検の種類に日常点検を実施することが示されている場合（「日常」）、「日常」が記憶されている点検種類情報を検索して、日常点検を実施する設備または機器を特定する。図４の例の場合、「ポンプＰ１」「ポンプＰ２」「ポンプＰ３」に関連付けられている点検種類情報「日常／ジャーテスト／水質」には「日常」が記憶されているので、日常点検を実施する機器として「ポンプＰ１」「ポンプＰ２」「ポンプＰ３」が特定される。
【００４３】
なお、点検の種類を有する情報は日常点検を示す「日常」、ジャーテストを示す「ジャーテスト」、水質試験を示す「水質」に限定されるものではなく、他に各種点検、検査、整備などを点検種類情報としてもよい。
【００４４】
関連設備機器情報は、運用上関連がある設備または機器を示す情報である。例えば、水路の上流と下流に設置されている２台のポンプの吐出圧に関係がある場合などに、運用上関連がある設備または機器であるとする。本例では、「ポンプＰ２」と「ポンプＰ３」が関連しているので、「ポンプＰ２」の「関連設備機器情報」に関連付けられて「ポンプＰ３」の識別情報「５２」が記憶され、「ポンプＰ３」の「関連設備機器情報」に関連付けられて「ポンプＰ２」の識別情報「５１」が記憶されている。
【００４５】
第２の抽出部３０２は、抽出した点検を実施する予定の設備または機器に対応する識別情報を用いて、記憶部２０２に記憶される後述する階層構造情報を参照して、点検を実施する予定の設備または機器に対応する階層情報および場所特定情報を抽出する。
【００４６】
階層構造情報は、識別情報に関連付けられている設備または機器の階層を示す階層情報と、階層の上位側から識別情報を連結して生成される設備または機器の場所を表す場所特定情報と、が関連付けられて記憶部２０２に記憶されている。
【００４７】
図７と図８を用いて階層構造情報の説明をする。
図７は、階層を説明するための図である。図７では階層が上位から下位までの８つの場合について示している。ただし、階層数は８つに限定されるものではない。本例では、階層情報「階層数１」に「自治体」が関連付けられ、階層情報「階層数２」に設備機器名称情報「機場１」が関連付けられ、階層情報「階層数３」に設備機器名称情報「施設」が関連付けられ、階層情報「階層数４」に設備機器名称情報「棟屋」が関連付けられ、階層情報「階層数５」に設備機器名称情報「階」が関連付けられ、階層情報「階層数６」に設備機器名称情報「部屋」が関連付けられ、階層情報「階層数７」に設備機器名称情報「装置」が関連付けられ、階層情報「階層数８」に設備機器名称情報「部品」が関連付けられている。
【００４８】
また、図７では「自治体」に設備または機器を識別するための識別情報「１２３４」が関連付けられ、「機場１」に識別情報「１５」が関連付けられ、「棟Ａ」に識別情報「０１」が関連付けられ、「棟Ｂ」に識別情報「０２」が関連付けられ、「部屋１」に識別情報「４７」が関連付けられ、「部屋２」に識別情報「４８」が関連付けられ、「部屋３」に識別情報「４９」が関連付けられ、「Ｐ２」に識別情報「５１」が関連付けられ、「Ｐ３」に識別情報「５２」が関連付けられ、「Ｐ１」に識別情報「５０」が関連付けられている。
【００４９】
図８は、階層構造情報のデータ構造の一実施例を示す図である。階層構造情報８０１は図７の階層構造を表すものである。階層構造情報８０１は、「識別情報」「設備機器名称情報」「階層情報」「場所特定情報」に記憶される情報を有している。ただし、「設備機器名称情報」はなくてもよい。
【００５０】
階層情報は、識別情報に関連付けられている設備または機器の階層を示す情報である。例えば、階層数１は自治体、流域などに設定される。階層数２は機場などに設定される。階層数３は施設、浄水場などに設定される。階層数４は棟、事務所などに設定される。階層数５は階、屋上などに設定される。階層数６は部屋、中央制御室などに設定される。階層数７は装置、ポンプ、計測器などに設定される。階層数７は部品などに設定される。
【００５１】
場所特定情報は、階層の上位側から識別情報を連結して生成される設備または機器の場所を表す情報である。
本例では、識別情報「１２３４」（設備機器名称情報「自治体」）に関連付けられて階層情報「１」と場所特定情報「１２３４」が記憶されている。また、識別情報「１５」（設備機器名称情報「機場１」）に関連付けられて階層情報「２」と場所特定情報「１２３４．１５」が記憶されている。識別情報「０１」（設備機器名称情報「棟Ａ」）に関連付けられて階層情報「４」と場所特定情報「１２３４．１５．０１」が記憶されている。識別情報「０２」（設備機器名称情報「棟Ｂ」）に関連付けられて階層情報「４」と場所特定情報「１２３４．１５．０２」が記憶されている。識別情報「４７」（設備機器名称情報「部屋１」）に関連付けられて階層情報「６」と場所特定情報「１２３４．１５．０１．４７」が記憶されている。識別情報「４８」（設備機器名称情報「部屋２」）に関連付けられて階層情報「６」と場所特定情報「１２３４．１５．０１．４８」が記憶されている。識別情報「４９」（設備機器名称情報「部屋３」）に関連付けられて階層情報「６」と場所特定情報「１２３４．１５．０２．４９」が記憶されている。識別情報「５０」(設備機器名称情報「ポンプＰ１」）に関連付けられて階層情報「７」と場所特定情報「１２３４．１５．５０」が記憶されている。識別情報「５１」(設備機器名称情報「ポンプＰ２」）に関連付けられて階層情報「７」と場所特定情報「１２３４．１５．０２．４９．５１」が記憶されている。識別情報「５２」(設備機器名称情報「ポンプＰ３」）に関連付けられて階層情報「７」と場所特定情報「１２３４．１５．０２．４９．５０」が記憶されている。
【００５２】
なお、本例では識別情報を階層の上位側から「．」を用いて連結して場所特定情報を作成しているが、連結は「．」に限定するものではなく、識別情報が連結されていることが分かるような構造であればよい。
【００５３】
候補特定部３０３は、点検を実施する予定の設備または機器に対応する関連設備機器情報、階層情報および場所特定情報を用いて、記憶部２０２に記憶されている次に点検を実施する設備または機器の候補を特定するための条件情報を参照し、次に点検を実施する設備または機器の候補を特定する。
【００５４】
候補を特定するための条件情報は条件１、条件２、条件３、条件４である。
（条件１）現在点検中の設備または機器に関連する設備または機器がある
（条件２）現在点検中の設備または機器の１つ下位の階層に設備または機器がある
（条件３）現在点検中の設備または機器の階層と同じ階層に設備または機器がある
（条件４）現在点検中の設備または機器の階層の１つ上位の階層が同じ設備または機器がある
条件１を満たしている場合、現在点検中の設備または機器に関連する設備または機器を、関連設備機器情報を用いて特定する。例えば、図７に示したポンプＰ２が現在点検中の設備または機器である場合、図４の点検支援情報４０１の関連設備機器情報を参照して、ポンプＰ２に関連しているポンプＰ３を特定する。
【００５５】
条件２を満たしている場合、現在点検中の設備または機器の１つ下位の階層の設備または機器を次に点検を実施する設備または機器の候補として特定する。
条件２を満たしていないで、条件３と条件４を満たしている場合には、同じ階層でかつ１つ上位の階層が同じ設備または機器を特定する。現在点検中の設備または機器が図７に示したポンプＰ２である場合（ただし、関連設備機器情報がない場合）、まず同じ階層数７のポンプＰ１、Ｐ３が特定され、次にポンプＰ２の上位階層（部屋３：４９）の階層数６が同じであるポンプＰ３が特定される。その結果、次に点検を実施する設備または機器の候補としてポンプＰ３が特定される。
【００５６】
条件３のみを満たす場合には、現在点検中の設備または機器と同じ階層の設備または機器を次に点検を実施する設備または機器の候補とする。
条件１〜４を満たさない場合には、現在点検中の設備または機器の階層に最も近い上位の階層の設備または機器を特定して、次に点検を実施する設備または機器の候補としてもよい。
【００５７】
表示生成部３０４は、点検を実施する予定の設備または機器に対応する識別情報、点検内容情報、支援情報および候補（候補情報）を、作業者の利用する端末の表示部に表示させるための点検シナリオ表示情報を生成する。
【００５８】
図９は、候補情報により表示される候補画面の一実施例を示す図である。図９は、現在点検中の設備または機器が図７に示したポンプＰ２である場合に、同じ階層（階層数７）で、かつ１つ上位の階層が同じ（階層数６：部屋３［４９］）であるポンプＰ３を候補として端末２の表示部に表示させた場合の例である。図９の候補画面９０１は、現在点検中の設備または機器を提示する点検表示部９０２、候補表示部９０３（点線内の１つ上位の階層の設備および機器を表示する上位階層表示部９０４（部屋３［４９］）、点線内の現在点検中の設備および機器を表示する点検表示部９０５（ポンプP２［５１］）、点線内の現在点検中の設備および機器と同じの階層の設備および機器を表示する表示部９０６（太線文字のポンプＰ３［５２］））、入力決定表示部９０７（「選択」ボタン）、取り消し表示部９０８（「キャンセル」ボタン）が表示される。なお、図９の点線は実際には表示されない。
【００５９】
点検表示部９０２は現在点検中の設備または機器を作業者に提示する。本例では、「点検中  ポンプP２［５１］」が表示されている。ただし、「点検中  ポンプP２［５１］」に限定されるものではなく、現在点検中の設備または機器が分かる表示であればよい。
【００６０】
候補表示部９０３は、１つ上位の階層の設備および機器を表示する上位階層表示部９０４と、現在点検中の設備および機器を表示する点検表示部９０５と、同じの階層の設備および機器を表示する表示部９０６（次に点検を実施する設備または機器の候補を表示）と、を関連付けてツリー表示する。なお、本例では表示部９０６の表示（次に点検を実施する設備または機器の候補）は太文字で表示されているが、太文字に限定されるものではなく、次に点検を実施する設備または機器の候補であることが分かる表示であればよい。さらに、表示は図９に示す表示に限定されるものではない。
【００６１】
入力決定表示部９０７は候補表示部９０３で候補となる設備または機器を選択して決定するための表示である。本例では、入力決定表示部６０６として「選択」ボタンが表示されている。
【００６２】
取り消し表示部９０８は入力された入力値を取り消すための表示である。本例では、取り消し表示部９０８として「キャンセル」ボタンが表示されている。
このように、作業者が入力をする際に支援情報を用いて入力表示を端末２の表示部にすることで、作業者は点検結果などの入力を簡単にできる。
【００６３】
説明したように点検支援装置は、設備および機器に対する点検を効率よく実施するための情報を有する点検シナリオを作成し、作業者にこの点検シナリオを提示することで、点検時間を短縮させることができるという効果を奏する。
【００６４】
情報処理装置（点検支援装置）の動作について説明する。
図１０は、情報処理装置（点検支援装置）の動作の一実施例を示す図である。ステップＳ１００１では、端末２から設備または機器に対して点検を実施する通知を、制御部２０１（コンピュータ）が取得する。
【００６５】
ステップＳ１００２では、通知に含まれる点検の種類を用いて、記憶部２０２に記憶される点検支援情報を参照して、同じ種類の点検を実施する予定の設備または機器の識別情報、設備機器名称情報、点検内容情報、支援情報および関連設備機器情報を、制御部２０１が抽出する。
【００６６】
ステップＳ１００３では、抽出した点検を実施する予定の設備または機器に対応する識別情報を用いて、記憶部２０２に記憶される階層構造情報を参照して、点検を実施する予定の設備または機器に対応する階層情報および場所特定情報を、制御部２０１が抽出する。
【００６７】
ステップＳ１００４では、点検を実施する予定の設備または機器に対応する関連設備機器情報、階層情報および場所特定情報を用いて、記憶部２０２に記憶されている次に点検を実施する設備または機器の候補を特定するための条件情報を参照し、次に点検を実施する設備または機器の候補を、制御部２０１が特定する。
【００６８】
ステップＳ１００５では、点検を実施する予定の設備または機器に対応する識別情報、点検内容情報、支援情報および候補を、作業者の利用する端末の表示部に表示させるための点検シナリオ表示情報を、制御部２０１が生成する。
【００６９】
説明したように点検支援装置は、設備および機器に対する点検を効率よく実施するための情報を有する点検シナリオを作成し、作業者にこの点検シナリオを提示することで、点検時間を短縮させることができるという効果を奏する。
【００７０】
また、本発明は、上記実施の形態に限定されるものでなく、本発明の要旨を逸脱しない範囲内で種々の改良、変更が可能である。
【図１】
2015001851.tif 000003
【図２】
2015001851.tif 000004
【図３】
2015001851.tif 000005
【図４】
2015001851.tif 000006
【図５】
2015001851.tif 000007
【図６】
2015001851.tif 000008
【図７】
2015001851.tif 000009
【図８】
2015001851.tif 000010
【図９】
2015001851.tif 000011
【図１０】
2015001851.tif 000012